(57)【特許請求の範囲】
【請求項１】
地理的範囲を入力された地図の表示範囲や緯度経度情報に基づいてキーワードを検索して提示する情報検索装置であって、
前処理手段と、キーワード抽出手段と、を有し、
前記前処理手段は、
検索対象文書が入力されると、固有表現、地理表現、地理情報、時間情報を抽出して解析結果記憶手段に格納する文書解析手段と、
前記解析結果記憶手段から解析結果を取得してメッシュ番号を付与し、該メッシュ番号毎に固有表現の数を合計して３次元メッシュテーブルに格納するメッシュテーブル作成手段と、を有し、
前記キーワード抽出手段は、
利用者から入力された時間情報及び地理範囲を取得し、該時間情報及び該地理範囲に基づいてメッシュＩＤを計算するメッシュ番号計算手段と、
前記メッシュＩＤに基づいて前記３次元メッシュテーブルを参照し、対応する固有表現データを取得する固有表現データ取得手段と、
前記固有表現データ取得手段において、前記メッシュＩＤにより固有表現データが取得できなかった場合に、前記時間情報の要素及び前記地理範囲の要素の少なくともいずれか一方を拡張することにより、探索範囲を拡大し、再度固有表現データの探索を行う固有表現データ再取得手段と、
取得した固有表現データを出力する出力手段と、
を有することを特徴とする情報検索装置。
【請求項２】
地理的範囲を入力された地図の表示範囲や緯度経度情報に基づいてキーワードを検索して提示する情報検索装置であって、
前処理手段と、キーワード抽出手段と、を有し、
前記前処理手段は、
検索対象文書が入力されると、固有表現、地理表現、地理情報、時間情報を抽出して解析結果記憶手段に格納する文書解析手段と、
前記解析結果記憶手段から解析結果を取得してメッシュ番号を付与し、該メッシュ番号毎に固有表現の数を合計して３次元メッシュテーブルに格納するメッシュテーブル作成手段と、を有し、
前記キーワード抽出手段は、
利用者から入力された時間情報及び地理範囲を取得し、該時間情報及び該地理範囲に基づいてメッシュＩＤを計算するメッシュ番号計算手段と、
前記メッシュＩＤに基づいて前記３次元メッシュテーブルを参照し、対応する固有表現データを取得する固有表現データ取得手段と、
前記固有表現データ取得手段で取得した前記固有表現データを出力する出力手段と、
前記出力手段で出力された固有表現データの数が所定の数に満たない場合に、前記時間情報の要素及び前記地理範囲の要素の少なくともいずれか一方を拡張することにより、探索範囲を拡大し、再度固有表現データの探索を行い、前記出力手段に出力する固有表現データ再取得手段と、
を有することを特徴とする情報検索装置。
【請求項３】
前記固有表現データ再取得手段は、
前記時間情報の時間要素を所定の比率に基づいて、前方または後方のいずれか、または、双方に探索範囲を拡大して前記３次元メッシュテーブルを探索する時間探索手段、
前記地理範囲を所定の比率に基づいて地理的に拡大して前記３次元メッシュテーブルを探索する地理拡大探索手段、
のいずれか、または、両方を含む
請求項１または２記載の情報検索装置。
【請求項４】
前記時間探索手段は、
前記前方探索を優先させる
請求項３記載の情報検索装置。
【請求項５】
地理的範囲を入力された地図の表示範囲や緯度経度情報に基づいてキーワードを検索して提示する情報検索方法であって、
前処理過程と、キーワード抽出過程からなり、
前記前処理過程において、
文書解析手段が、検索対象文書が入力されると、固有表現、地理表現、地理情報、時間情報を抽出して解析結果記憶手段に格納する文書解析ステップと、
メッシュテーブル作成手段が、前記解析結果記憶手段から解析結果を取得してメッシュ番号を付与し、該メッシュ番号毎に固有表現の数を合計して３次元メッシュテーブルに格納するメッシュテーブル作成ステップと、を行い
前記キーワード抽出過程において、
メッシュ番号計算手段が、利用者から入力された時間情報及び地理範囲を取得し、該時間情報及び該地理範囲に基づいてメッシュＩＤを計算するメッシュ番号計算ステップと、
固有表現データ取得手段が、前記メッシュＩＤに基づいて前記３次元メッシュテーブルを参照し、対応する固有表現データを取得する固有表現データ取得ステップと、
固有表現データ再取得手段が、前記固有表現データ取得ステップにおいて、前記メッシュＩＤにより固有表現データが取得できなかった場合に、前記時間情報の要素及び前記地理範囲の要素の少なくともいずれか一方を拡張することにより、探索範囲を拡大し、再度固有表現データの探索を行う固有表現データ再取得ステップと、
出力手段が、取得した固有表現データを出力する出力ステップと、
を行うことを特徴とする情報検索方法。
【請求項６】
地理的範囲を入力された地図の表示範囲や緯度経度情報に基づいてキーワードを検索して提示する情報検索方法であって、
前処理過程と、キーワード抽出過程からなり、
前記前処理過程において、
文書解析手段が、検索対象文書が入力されると、固有表現、地理表現、地理情報、時間情報を抽出して解析結果記憶手段に格納する文書解析ステップと、
メッシュテーブル作成手段が、前記解析結果記憶手段から解析結果を取得してメッシュ番号を付与し、該メッシュ番号毎に固有表現の数を合計して３次元メッシュテーブルに格納するメッシュテーブル作成ステップと、を行い
前記キーワード抽出過程において、
メッシュ番号計算手段が、利用者から入力された時間情報及び地理範囲を取得し、該時間情報及び該地理範囲に基づいてメッシュＩＤを計算するメッシュ番号計算ステップと、
固有表現データ取得手段が、前記メッシュＩＤに基づいて前記３次元メッシュテーブルを参照し、対応する固有表現データを取得する固有表現データ取得ステップと、
出力手段が、前記固有表現データ取得ステップで取得した前記固有表現データを出力する出力ステップと、
固有表現データ再取得手段が、前記出力ステップで出力された固有表現データの数が所定の数に満たない場合に、前記時間情報の要素及び前記地理範囲の要素の少なくともいずれか一方を拡張することにより、探索範囲を拡大し、再度固有表現データの探索を行い、前記出力手段に出力する処理を、該固有表現データの個数が所定の数になるまで繰り返す固有表現データ再取得ステップと、
を行うことを特徴とする情報検索方法。
【請求項７】
前記固有表現データ再取得ステップにおいて、
前記時間情報の時間要素を所定の比率に基づいて、前方または後方のいずれか、または、双方に探索範囲を拡大して前記３次元メッシュテーブルを探索する時間探索ステップ、
前記地理範囲を所定の比率に基づいて地理的に拡大して前記３次元メッシュテーブルを探索する地理探索ステップ、
のいずれか、または、両方を行い、
前記時間探索ステップでは、前方探索を優先させる
請求項５または６記載の情報検索方法。
【請求項８】
コンピュータを、
請求項１乃至４のいずれか１項に記載の情報検索装置の各手段として機能させるための情報検索プログラム。
【発明の詳細な説明】
【技術分野】
【０００１】
本発明は、情報検索装置及び方法及びプログラムに係り、特に、検索者が地理的範囲を地図の表示範囲や緯度経度情報を入力して検索を行うことができる文書検索サービスにおいて、その条件下で特徴的なキーワードを検索前に表示させることで検索者の検索を支援するための情報検索装置及び方法及びプログラムに関する。
【背景技術】
【０００２】
インターネット上の文書を検索する検索エンジンなどでは、現在どのようなキーワードでの検索が増加しているか解析を行い、増加しているキーワードを提示することで、検索者の検索を支援している（例えば、非特許文献１参照）。
【０００３】
このような時間的に特徴的なキーワードを抽出するためには、検索対象文書の登校時刻情報とその中に含まれるキーワードのデータや、検索エンジンの検索ログデータ（検索時刻と投入キーワード）を任意の単位（例として1日単位や1時間単位）で解析し、出現回数が急増した特長的なキーワードを検出する。特徴的であるかは標準偏差やポアソン確率を用いることで判定可能である。例えば、管理図による手法では過去数日間（任意の期間）の移動平均値に対して３σ以上（σは標準偏差）上昇している場合に、異常値と判定しており、その場合に特徴的であると判定することができる。検索対象文書のデータを使用する際には、電子文書の作成日時がピーク時間帯に近接し周期性を有するほど高いスコアを与え、高スコアであれば作成日時の時間表現候補を時間表現とする方法（例えば、特許文献1参照）を用いて検索対象文書から時間表現を抽出することができ、それを投稿時間の代わりに利用することができる。また、特定の固有表現に関する形態素と固有表現状態との対情報が登録された辞書を用いて固有表現識別子を置き換える方法（例えば、特許文献2参照）を用いることにより、文書内の固有表現のみを抽出することができるので、双方の出力を時間情報と固有表現の組合せのデータとなり、上記検索ログデータと同様に特徴的なキーワードを抽出可能となる。
【０００４】
また、文書内のテキストを解析して地名情報を特定する手法が提案されている（例えば、非特許文献２参照）。当該手法の結果を用いることで各文書がどの地域に関係しているかを解析することが可能である。これを用いることで、予め用意したおいたキーワード集合がどの地域に関係付けられた文書で出現しているか解析でき、特定の地域で推薦するキーワードを抽出することが可能と考えられる。具体的な手法としては、地域を東西・南北それぞれ200mや緯度経度で8秒毎などの固定の値で区切り（「メッシュ」と呼ぶ）、メッシュ毎に関連する文書集合中の各キーワードの頻度を分析する。複数のメッシュを含むある地域において、あるキーワードの頻度が全体の頻度分布中で特徴的に高い場合、そのキーワードは当該地域での推薦すべきキーワードであると判定できる。特徴的であるかは上記と同様に全メッシュにおける平均出現頻度に対して当該メッシュでの出現頻度3σ（σは標準偏差）以上高い場合に特徴的と判断してもよいし、ポアソン確率を用いることで判定可能である。
【０００５】
上記を組合せて、時間と地理的な情報双方を用いて特徴的なキーワードを抽出するためには、例えば、地理的に（緯度、経度）の2次元の分布に時間（日単位）の次元を加えて、３次元における分布情報を保持することで可能だと考える。地理的には、緯度経度を8000ミリ秒毎に区切り、時間的には1日単位で区切ることで、図1のような3次元メッシュを作成することができ、それぞれのメッシュのデータとしては検索対象文書中で地理と時間が対応する文書に含まれるキーワードとその頻度情報が格納される。
【０００６】
３次元メッシュを用いて、各メッシュ（複数選択可）で特徴的なキーワードを取得するためには、メッシュに含まれる全キーワードそれぞれに対して、ポアソン確率を計算することで可能である。ポアソン確率は下記の式で計算可能であり、その確率が高いキーワードが特徴的であるといえる。
【０００７】
【数１】
0005604406.tif 000002
式中に用いられている各変数は下記の通りである。
・n : 全検索対象文書数
・s : 全検索対象文書内での当該キーワードの出現頻度
・k : 当該メッシュ内の全キーワードの出現頻度の合計
・r : 当該メッシュ内での当該キーワードの出現頻度 
ただし、当該機能での計算においてn , sは事前に設定しておく。
【先行技術文献】
【特許文献】
【０００８】
【特許文献１】特開２０１１−８６１５２号公報
【特許文献２】特開２００７−３２３２７１号公報
【非特許文献】
【０００９】
【非特許文献１】Google（登録商標）急上昇キーワード：http://www.google.co.jp/m/trends.
【非特許文献２】平野 徹,他：地理的距離と有名度を用いた地名曖昧性解消情報処理学会全国大会2008.
【発明の概要】
【発明が解決しようとする課題】
【００１０】
しかしながら、上記の従来の技術では、指定範囲内のデータが少ない場合、特徴的な語が抽出できないという問題がある。
【００１１】
検索対象文書の量が膨大でない限り、３次元メッシュはスパースな構造になりがちであり、データが少ない場合など、時間、地理の条件で指定されたメッシュがデータを保持しない場合があるため、特徴的な語が抽出できない場合がある。
【００１２】
また、データが検索対象文書に存在しても出力したい語数を得ることができない場合がある。
【００１３】
本発明は、上記の点に鑑みなされたもので、指定された時間情報、地理範囲で特徴的なキーワードを出力する際に、該当する条件下のデータが存在しない場合にも、その指定条件と関係性の高いデータを取得して、キーワードを出力することが可能で、また、規定した個数のキーワードを必ず取得することが可能な情報検索装置及び方法及びプログラムを提供することを目的とする。
【課題を解決するための手段】
【００１４】
上記の課題を解決するため、本発明（請求項１）は、地理的範囲を入力された地図の表示範囲や緯度経度情報に基づいてキーワードを検索して提示する情報検索装置であって、
前処理手段と、キーワード抽出手段と、を有し、
前記前処理手段は、
検索対象文書が入力されると、固有表現、地理表現、地理情報、時間情報を抽出して解析結果記憶手段に格納する文書解析手段と、
前記解析結果記憶手段から解析結果を取得してメッシュ番号を付与し、該メッシュ番号毎に固有表現の数を合計して３次元メッシュテーブルに格納するメッシュテーブル作成手段と、を有し、
前記キーワード抽出手段は、
利用者から入力された時間情報及び地理範囲を取得し、該時間情報及び該地理範囲に基づいてメッシュＩＤを計算するメッシュ番号計算手段と、
前記メッシュＩＤに基づいて前記３次元メッシュテーブルを参照し、対応する固有表現データを取得する固有表現データ取得手段と、
前記固有表現データ取得手段において、前記メッシュＩＤにより固有表現データが取得できなかった場合に、前記時間情報の要素及び前記地理範囲の要素の少なくともいずれか一方を拡張することにより、探索範囲を拡大し、再度固有表現データの探索を行う固有表現データ再取得手段と、
取得した固有表現データを出力する出力手段と、を有する。
【００１５】
また、本発明（請求項２）は、地理的範囲を入力された地図の表示範囲や緯度経度情報に基づいてキーワードを検索して提示する情報検索装置であって、
前処理手段と、キーワード抽出手段と、を有し、
前記前処理手段は、
検索対象文書が入力されると、固有表現、地理表現、地理情報、時間情報を抽出して解析結果記憶手段に格納する文書解析手段と、
前記解析結果記憶手段から解析結果を取得してメッシュ番号を付与し、該メッシュ番号毎に固有表現の数を合計して３次元メッシュテーブルに格納するメッシュテーブル作成手段と、を有し、
前記キーワード抽出手段は、
利用者から入力された時間情報及び地理範囲を取得し、該時間情報及び該地理範囲に基づいてメッシュＩＤを計算するメッシュ番号計算手段と、
前記メッシュＩＤに基づいて前記３次元メッシュテーブルを参照し、対応する固有表現データを取得する固有表現データ取得手段と、
前記固有表現データ取得手段で、取得した前記固有表現データを出力する出力手段と、
前記出力手段で出力された固有表現データの数が所定の数に満たない場合に、前記時間除法の要素及び前記地理範囲の要素の少なくともいずれか一方を拡張することにより、探索範囲を拡大し、再度固有表現データの探索を行い、前記出力手段に出力する固有表現データ再取得手段と、を有する。
【００１６】
また、本発明（請求項３）は、前記固有表現データ再取得手段において、
前記時間情報の時間要素を所定の比率に基づいて、前方または後方のいずれか、または、双方に探索範囲を拡大して前記３次元メッシュテーブルを探索する時間探索手段、
前記地理範囲を所定の比率に基づいて地理的に拡大して前記３次元メッシュテーブルを探索する地理拡大探索手段、
のいずれか、または、両方を含む。
【００１７】
また、本発明（請求項４）は、前記時間探索手段において、前記前方探索を優先させる。
【発明の効果】
【００１８】
本発明によれば、指定された時間情報、地理範囲で特徴的なキーワードを出力する際に、該当する条件下のデータが存在しない場合にも、その指定条件と関係性の高いと考えられる固有表現データを取得して、キーワードを出力することができる。
【００１９】
また、規定数に達するまで固有表現データの再取得を行うことにより、必ず規定語数のキーワードの出力が可能となる。その際には、均等に広げるよりも最も情報を得やすいと思われる方向に偏って広げるため、範囲拡大は必要最小限に抑えることができる。
【図面の簡単な説明】
【００２０】
【図１】３次元メッシュのイメージ図である。
【図２】本発明で用いるインタフェースのイメージである。
【図３】本発明の一実施の形態における情報検索装置の構成図である。
【図４】本発明の一実施の形態における前処理を説明するための図である。
【図５】本発明の一実施の形態における文書解析部の構成図である。
【図６】本発明の一実施の形態における３次元メッシュテーブルである。
【図７】本発明の一実施の形態におけるキーワード抽出処理を説明するための図である。
【図８】本発明の一実施の形態における前方探索の３次元メッシュのイメージである。
【図９】本発明の一実施の形態における時間及び探索範囲拡大のイメージである。
【図１０】本発明の一実施の形態におけるキーワード抽出処理を説明するための図である。
【発明を実施するための形態】
【００２１】
以下図面と共に、本発明の実施の形態を説明する。
【００２２】
本発明の処理は、「前処理」と「キーワード抽出処理」に分けられる。
【００２３】
「前処理」は検索対象文書を解析し、３次元メッシュの各メッシュに格納するデータを抽出・掲載し、保存領域に格納する処理である。
【００２４】
「キーワード抽出処理」は、検索者が指定した時間及び地理的範囲に応じて、特徴的なキーワードを出力する処理である。
【００２５】
本発明が想定するサービスは、検索者が図２のようなインタフェースを用いて地理的範囲と時間を指定した上で、キーワードによる検索を行う検索サービスであり、本発明を用いることで検索者のキーワードの入力を補助することが可能である。
【００２６】
図３は、本発明の一実施の形態における情報検索装置の構成を示す。
【００２７】
情報検索装置は、文書解析部１、３次元メッシュテーブル作成部２、メッシュ番号計算部３、固有表現データ取得部４、固有表現データ再取得部５、固有表現出力部６、解析結果保存テーブル７、３次元メッシュテーブル８から構成される。
【００２８】
解析結果保存テーブル７、３次元メッシュテーブル８は、ハードディスク等の記憶媒体に格納されるテーブルであり、解析結果保存テーブル７は、文書解析部１によって解析された文書の解析結果として、ページ番号、固有表現、地理情報、時間情報が格納される。３次元メッシュテーブル８は、メッシュＩＤと固有表現データが格納される。
【００２９】
まず、前処理について説明する。
【００３０】
図４は、本発明の一実施の形態における前処理を説明するための図である。
【００３１】
文書解析部１は、図５に示す機能を有する。文書解析部１は、ページ番号決定部１１、、固有表現抽出部１２、地名表現抽出部１３、地理情報抽出部１４、時間情報抽出部１５、解析結果保存部１６から構成される。
【００３２】
ページ番号決定部１１は、入力された検索対象文書の各ページに対してページ番号をユニークに決定する。
【００３３】
固有表現抽出部１２は、検索対象文書中の固有表現を抽出する。固有表現の抽出などには、特許文献２等で示される従来の手法を用いることができる。
【００３４】
地名表現抽出部１３は、検索対象文書中に記述された地名と思われる表現を抽出する。地名は必ずしも完全な住所でなくとも、断片的な地名（例えば、「浜松」など）でも構わない。これは、非特許文献２等で示される従来の手法を用いることができる。
【００３５】
地理情報抽出部１４は、地名表現抽出部１３で抽出された地名表現から緯度経度情報を抽出する。単純には地名とその領域が記された辞書を用意しておき、文書中に現れる地名をパターンマッチする方法を使うことができる。
【００３６】
時間情報抽出部１５は、検索対象文書中の時間表現を抽出する。時間表現の抽出には、特許文献１等で示される従来の手法を用いることができる。抽出の際には任意の単位の時間情報とする（例えば、日単位など）。
【００３７】
解析結果保存部１６は、解析結果保存テーブル７に解析結果として、
＜ページ番号＞＜固有表現＞＜地理情報（緯度・経度）＞＜時間情報＞
を格納する。
【００３８】
３次元メッシュテーブル作成部２は、解析結果保存テーブル７から解析結果を読み込んで以下の処理を行う。
【００３９】
１）解析結果の地理情報の緯度及び経度それぞれを8000ミリ秒単位など任意の単位で集約して番号を決定する。例えば、日本の西端、南端をそれぞれ０番として8000ミリ秒単位で１番、２番と番号を決定し、各緯度及び経度を番号に変換する。
【００４０】
２）時間情報と経度番号、緯度番号を合わせてメッシュ番号とする。例えば、
20110908−5350−6000(時間情報−緯度番号−経度番号)
３）メッシュ番号毎に固有表現の数を合計して、３次元メッシュテーブルに図６に示す構造で保存する。１つのページ番号の地理情報、時間情報に複数のデータがある場合は全ての組合せについて、加算を行う。
【００４１】
ここまでが前処理である。
【００４２】
次に、キーワード抽出処理について説明する。
【００４３】
検索者が図２のインタフェースを用いて指定した時間（yyyy，mm，dd）と地理範囲（南西の点の緯度経度、東北の点の緯度経度）を入力として、出力する。
【００４４】
図７は、本発明の一実施の形態におけるキーワード抽出処理を説明するための図である。
【００４５】
ステップ１０１）  メッシュ番号計算部３は、入力された時間情報、地理範囲に含まれるメッシュＩＤを計算し、リストとして固有表現データ取得部４に出力する。
【００４６】
ステップ１０２）  固有表現データ取得部４は、メッシュ番号計算部３から入力されたメッシュＩＤのリストをキーとして３次元メッシュ番号テーブル８から固有表現データを取得する。
【００４７】
ステップ１０３）  固有表現データ取得部４で指定したメッシュＩＤのリストデータを取得できなかった場合には、ステップ１０４に移行し、取得した場合はステップ１０５に移行する。
【００４８】
ステップ１０４）  固有表現データ再取得部５は、ステップ１０２において、あるメッシュにデータがない場合は、図８に示すように、メッシュＩＤリストの各メッシュＩＤの時間要素を１単位（１日）前方の期間に含まれるメッシュＩＤ全てをキーとして３次元メッシュ番号テーブル８から固有表現データを取得する。
【００４９】
当該処理は、固有表現データが取得できるまで繰り返し実施される。
【００５０】
また、時間要素を前方だけでなく後方にも探索することも可能とする。比率αを用いて再取得ｎ回の場合、下記のようにする。
【００５１】
前方ｎ単位：後方ｍ単位＝α：（１−α）  （但し、0.5≦α≦１）
このように比率αを用いて前方後方双方に探索する設定を可能とする。その際にαを0.5以上１以下とすることで、前方を優先させる。
【００５２】
また、地理要素に関しても範囲を広げて探索可能とする。比率βを用いて再取得ｎ回目の場合、当該メッシュＩＤから"β×ｎ"（１以下切捨て）の距離にあるメッシュを探索対象とする。ここで距離とは、隣接するメッシュ同士の距離は１、２つの隣のメッシュ間の距離は２とする。メッシュＩＤリストに含まれる全てのメッシュＩＤでの広がりを合わせたものを再取得対象とする。
【００５３】
また、時間要素と地理要素共に範囲を広げる場合は、再取得ｎ回目の場合、時間に関して前方ｎ単位、後方ｍ単位とすると、元のメッシュの時間要素をｔ＝０とすると、各ｔにおけるメッシュの地理要素の広がりの距離ｄ（ｔ）は下記の式で得られ、その距離にあるメッシュを探索対象とする。
【００５４】
【数２】
0005604406.tif 000003
上記のように指定された地理、時間に当てはまる検索対象文書が存在しない場合に、時間的に前方を探索することで関係性の高いキーワードが出力できる。
【００５５】
ある店舗が８月１日に開店した場合を例とすると、来店した人が作成するブログなどの検索対象ページは時間と共に増加する。そのため、８月１日の時間表現が含まれるページがなくても、８月２日の時間表現が含まれるページ（８月２日に来店した人が「８月２日に行ってきました」などと書く）は存在する可能性があるため、前方を優先して探索することが効果的である。
【００５６】
また、地理的にも広がり度合いを明示的に指定することで、地理的には広げたくない場合や、広げてもよい場合双方に対応可能である。
【００５７】
探索範囲を、時間的、地理的に拡大する３次元メッシュテーブルのイメージを図９に示す。同図において、（ｂ）は、探索範囲（ａ）から時間的な広がりを示し、（ｃ）は、（ａ）から地理的な広がりを示し、（ｄ）は、時間的な広がり及び地理的な広がりを合わせたものである。
【００５８】
ステップ１０５）  固有表現出力部６は、取得した固有表現データから出力する固有表現を決定する。決定する際のアルゴリズムは、例えば、取得した固有表現データに含まれる固有表現の頻度を合計し、上位１０語を出力する手法や、各メッシュＩＤ毎に頻度上位２語ずつを出力する手法、固有表現が全体中で特徴的かどうかポアソン確率を計算してポアソン確率の上位１０語を出力する手法などがある。
【００５９】
次に、他の実施の形態を説明する。
【００６０】
前述の実施の形態では、図７のフローにおいて、メッシュ番号計算処理、固有表現データ取得処理、固有表現データ再取得処理、固有表現出力処理の順に行ったが、この手法に限定されることなく、図１０に示すように、メッシュ番号計算処理（ステップ１０１）、固有表現データ取得処理（ステップ１０２）、固有表現出力処理（ステップ２０３）、固有表現データ再取得処理（ステップ２０４）の順にすることで、出力する固有表現の数が１０語（規定した個数）を必ず出力することが可能となる。
【００６１】
この場合、固有表現データ再取得部５の処理が、固有表現出力部６が規定した１０個に達していない場合に呼び出され、その後、再取得した固有表現データを固有表現出力部６に出力する。これにより、固有表現出力部６から規定数の固有表現データを出力する。
【００６２】
なお、上記の図３に示す情報検索装置の各構成要素の動作をプログラムとして構築し、情報検索装置として利用されるコンピュータにインストールして実行させる、または、ネットワークを介して流通させることが可能である。
【００６３】
本発明は、上記の実施の形態に限定されることなく、特許請求の範囲内において種々変更・応用が可能である。
【符号の説明】
【００６４】
１  文書解析部
２  ３次元メッシュテーブル作成部
３  メッシュ番号計算部
４  固有表現データ取得部
５  固有表現データ再取得部
６  固有表現出力部
７  解析結果保存テーブル
８  ３次元メッシュテーブル
１１  ページ番号決定部
１２  固有表現抽出部
１３  地名表現抽出部
１４  地理情報抽出部
１５  時間情報抽出部
１６  解析結果保存部
【図１】
0005604406.tif 000004
【図２】
0005604406.tif 000005
【図３】
0005604406.tif 000006
【図４】
0005604406.tif 000007
【図５】
0005604406.tif 000008
【図６】
0005604406.tif 000009
【図７】
0005604406.tif 000010
【図８】
0005604406.tif 000011
【図９】
0005604406.tif 000012
【図１０】
0005604406.tif 000013